(57)【要約】【課題】効率的なチャンネルスキャンによって、ダイバーシティ受信による番組視聴期間を長くでき、自動的な選局切替えの正確さを向上させることができる。【解決手段】デジタル放送受信装置は、第１のチューナ・復調部１２が番組視聴用の選局を行い、第２のチューナ・復調部２２が物理チャンネルを順次選局するチャンネルスキャン時に、第２のチューナ・復調部２２が受信可能な物理チャンネルを検出するチャンネルスキャン制御部２５と、受信可能な物理チャンネル、該物理チャンネルの放送内容に関する放送サービス情報、現在位置を含む放送エリアマップを生成する放送エリアマップ生成部２８とを有し、放送エリアマップ格納部２９に格納されている放送エリアマップと現在位置とから、現在受信可能な物理チャンネルの放送サービス情報を含む放送サービスリストを生成し表示する、又は、現在位置で受信可能な他の物理チャンネルに切り替える。【選択図】図１
2011061753.tif 000002
【特許請求の範囲】
【請求項１】
物理チャンネルを選局し、選局された物理チャンネルの放送信号を復調する複数のチューナ・復調部と、
前記複数のチューナ・復調部の動作を制御する選局制御部と、
前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、
現在位置を検出する現在位置検出部と、
前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、
前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、
前記生成された放送エリアマップを格納する放送エリアマップ格納部と、
前記放送エリアマップ格納部に格納されている前記放送エリアマップと前記現在位置検出部によって検出された現在位置とから、現在受信可能な物理チャンネルの放送サービス情報を含む放送サービスリストを生成する放送サービスリスト生成部と
を有し、
前記放送エリアマップ生成部は、受信可能エリアを示す多角形の頂点を、前記放送エリアマップ格納部に直交座標系の座標で記録する
ことを特徴とするデジタル放送受信装置。
【請求項２】
物理チャンネルを選局し、選局された物理チャンネルの放送信号を復調する複数のチューナ・復調部と、
前記複数のチューナ・復調部の動作を制御する選局制御部と、
前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、
現在位置を検出する現在位置検出部と、
前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、
前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、
前記生成された放送エリアマップを格納する放送エリアマップ格納部と
を有し、
前記放送エリアマップ生成部は、受信可能エリアを示す多角形の頂点を、前記放送エリアマップ格納部に直交座標系の座標で記録し、
前記選局制御部が、前記放送エリアマップ格納部に格納されている前記放送エリアマップと前記現在位置検出部によって検出された現在位置とから、前記複数のチューナ・復調部が選局する物理チャンネルを、現在位置で受信可能な他の物理チャンネルに切り替える
ことを特徴とするデジタル放送受信装置。
【請求項３】
前記放送エリアマップ生成部は、受信可能エリア内に存在する受信不可能エリアを示す多角形の頂点を、前記放送エリアマップ格納部に直交座標系の座標で記録することを特徴とする請求項１又は２に記載のデジタル放送受信装置。
【請求項４】
物理チャンネルを選局し、選局された物理チャンネルの放送信号を復調する複数のチューナ・復調部と、
前記複数のチューナ・復調部の動作を制御する選局制御部と、
前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、
現在位置を検出する現在位置検出部と、
前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、
前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、
前記生成された放送エリアマップを格納する放送エリアマップ格納部と、
前記放送エリアマップ格納部に格納されている前記放送エリアマップと前記現在位置検出部によって検出された現在位置とから、現在受信可能な物理チャンネルの放送サービス情報を含む放送サービスリストを生成する放送サービスリスト生成部と
を有し、
前記放送エリアマップ生成部は、受信可能エリアを示す多角形の辺を特定する一次関数を直交座標系で表現したときの傾き、前記一次関数で示される直線が座標軸と交差する位置、及び、前記一次関数で示される直線に対し前記受信可能エリアが座標軸の正方向にあるか負方向にあるかを示す情報を、前記放送エリアマップ格納部に格納する
ことを特徴とするデジタル放送受信装置。
【請求項５】
物理チャンネルを選局し、選局された物理チャンネルの放送信号を復調する複数のチューナ・復調部と、
前記複数のチューナ・復調部の動作を制御する選局制御部と、
前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、
現在位置を検出する現在位置検出部と、
前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、
前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、
前記生成された放送エリアマップを格納する放送エリアマップ格納部と
を有し、
前記放送エリアマップ生成部は、受信可能エリアを示す多角形の辺を特定する一次関数を直交座標系で表現したときの傾き、前記一次関数で示される直線が座標軸と交差する位置、及び、前記一次関数で示される直線に対し前記受信可能エリアが座標軸の正方向にあるか負方向にあるかを示す情報を、前記放送エリアマップ格納部に格納し、
前記選局制御部が、前記放送エリアマップ格納部に格納されている前記放送エリアマップと前記現在位置検出部によって検出された現在位置とから、前記複数のチューナ・復調部が選局する物理チャンネルを、現在位置で受信可能な他の物理チャンネルに切り替える
ことを特徴とするデジタル放送受信装置。
【請求項６】
前記放送エリアマップ生成部は、前記受信可能エリア内の受信不可能エリアを示す多角形の辺を特定する他の一次関数を直交座標系で表現したときの傾き、前記他の一次関数で示される直線が座標軸と交差する位置、及び、前記他の一次関数で示される直線に対し前記受信不可能エリアが座標軸の正方向にあるか負方向にあるかを示す情報を、前記放送エリアマップ格納部に格納することを特徴とする請求項４又は５に記載のデジタル放送受信装置。
【請求項７】
前記現在位置検出部が検出する現在位置が前記放送エリアマップ格納部に格納されている放送エリアマップが示すエリアマップ生成済みエリア以外の放送エリアマップ未生成エリア内の位置であるか否かを判定する放送エリアマップ未生成エリア判定部を有し、
前記放送エリアマップ未生成エリア判定部が、前記現在位置は放送エリアマップ未生成エリア内であると判定したときに、前記受信モード切替部は、前記複数のチューナ・復調部の動作モードを前記第２の動作モードに切替え、前記放送エリアマップ生成部は、放送エリアマップを生成して前記放送エリアマップ格納部に保持される前記放送エリアマップを更新する
ことを特徴とする請求項１乃至６のいずれか１項に記載のデジタル放送受信装置。
【請求項８】
前記デジタル放送受信装置が放送エリアマップ生成済みエリア内を移動しているときに、前記チャンネルスキャン制御部が視聴中の物理チャンネルからネットワーク構成又は放送サービス構成の変化を検出した場合に、前記チャンネルスキャン制御部は、前回のチャンネルスキャン実施後、所定時間経過後に再度チャンネルスキャンを行い、
前記放送エリアマップ生成部は、最新のチャンネルスキャン結果に基づいて、前記放送エリアマップ格納部に保持される放送エリアマップを更新する
ことを特徴とする請求項１乃至７のいずれか１項に記載のデジタル放送受信装置。
【請求項９】
前記チャンネルスキャン制御部は、連続する２回のチャンネルスキャンの結果を比較し、所定の基準レベル以上に受信状態が変化した物理チャンネルと、受信信号が閾値電力レベル近傍である物理チャンネルとに対して、再度チャンネルスキャンを行い、
前記放送エリアマップ生成部は、最新のチャンネルスキャン結果に基づいて前記放送エリアマップ格納部に保持される放送エリアマップを更新する
ことを特徴とする請求項１乃至７のいずれか１項に記載のデジタル放送受信装置。
【請求項１０】
前記チャンネルスキャン制御部は、前回のチャンネルスキャンにおいて放送サービスが存在すると判定し、且つ、今回のチャンネルスキャンにおいて受信信号の電力レベルから放送信号が存在していると判定した物理チャンネルには、前回と同一の放送サービスが存在すると判定することを特徴とする請求項９に記載のデジタル放送受信装置。
【請求項１１】
前記チャンネルスキャン制御部は、前回のチャンネルスキャンにおいて放送サービスが存在しないと判定し、且つ、今回のチャンネルスキャンにおいて受信信号の電力レベルから放送信号が存在しないと判定した物理チャンネルには、放送サービスが存在しないと判定することを特徴とする請求項９に記載のデジタル放送受信装置。
【請求項１２】
前記チャンネルスキャン制御部は、前回のチャンネルスキャンにおいて放送サービスが存在しないと判定し、且つ、今回のチャンネルスキャンにおいて受信信号の電力レベルから放送信号が存在していると判定した物理チャンネルに対して、再度チャンネルスキャンを行い、前記放送エリアマップ生成部は、最新のチャンネルスキャン結果に基づいて放送エリアマップを更新することを特徴とする請求項９に記載のデジタル放送受信装置。
【請求項１３】
前記放送エリアマップ生成部は、多角形の各辺の一次不等式で前記受信可能エリアが表わされている場合において、現在位置を新規に受信可能地点として追加する場合に、現在位置と前記受信可能エリアの多角形の各頂点を結ぶ各一次関数を求め、各一次関数が示す直線と前記受信可能エリアの頂点との位置関係を判断し、前記受信可能エリアのすべての頂点が一次関数が示す直線の同じ側に存在する一次関数を検索し、該一次関数を受信可能エリアを構成する新規辺としてエリアマップを更新することを特徴とする請求項４乃至６のいずれか１項に記載のデジタル放送受信装置。
【請求項１４】
各辺が一次関数で表され、各辺の一次不等式で表された前記多角形近似された放送エリアに対して、前記放送サービスリスト生成部が、前記一次不等式に現在座標値を代入し、放送エリアを構成するすべての前記一次不等式が満たされた場合に、現在位置がその放送エリア内であると判断することにより、現在地点で受信可能な放送サービスリストを表示することを特徴とする請求項４に記載のデジタル放送受信装置。
【請求項１５】
各辺が一次関数で表され、各辺の一次不等式で表された前記多角形近似された放送エリアに対して、前記選局制御部が、前記一次不等式に現在座標値を代入し、放送エリアを構成するすべての前記一次不等式が満たされた場合に、現在位置がその放送エリア内であると判断することにより、現在地点で受信可能な他の物理チャンネルに切り替えることを特徴とする請求項５に記載のデジタル放送受信装置。
【請求項１６】
各辺が一次関数で表され、各辺の一次不等式で表された前記多角形近似された放送エリアマップ生成済みエリアに対して、前記放送エリアマップ未生成エリア判定部が、前記一次不等式に現在座標値を代入し、放送エリアを構成するすべての前記一次不等式が満たされた場合に、現在位置がその放送エリア内であると判断することにより、現在地点で受信可能な他の物理チャンネルに切り替えることを特徴とする請求項７に記載のデジタル放送受信装置。
【発明の詳細な説明】
【技術分野】
【０００１】
本発明は、移動体への搭載に適したデジタル放送受信装置に関するものである。
【背景技術】
【０００２】
デジタル放送受信装置を搭載する移動体が、デジタル放送受信装置が受信している物理チャンネル（特定の周波数帯域幅を１つの単位として定義したチャンネル）の受信可能エリア内から受信可能エリア外に移動した場合には、正常に受信できていた物理チャンネルが提供する放送サービスを視聴できなくなる。この場合には、ユーザの手動操作でデジタル放送受信装置にチャンネルスキャンを実行させることによって、受信可能な物理チャンネルを検出し、ユーザが、その中から同じ放送サービスを提供する物理チャンネルを選局していた。
【０００３】
また、上記手動操作を必要としない、放送信号の選局機能を備えたデジタル放送受信装置が、例えば、特許文献１に開示されている。このデジタル放送受信装置は、複数の受信手段によるダイバーシティ受信を行う第１の機能と、複数の受信手段のうちの一方の受信手段により番組再生（番組視聴）のための受信を行うとともに、他方の受信手段で定期的に（例えば、１５分の時間間隔で）物理チャンネルをシークして選局に関する情報を取得する第２の機能とを切り替える機能切り替え手段を備え、自動的に選局切替えを行う（例えば、引用文献１の請求項２、要約参照）。
【先行技術文献】
【特許文献】
【０００４】
【特許文献１】特開２００５−２１７６８１号公報
【発明の概要】
【発明が解決しようとする課題】
【０００５】
しかしながら、上記特許文献１に記載のデジタル放送受信装置においては、他方の受信手段は物理チャンネルのシーク（「チャンネルスキャン」と言う。）を一定の時間間隔で定期的に行うので、チャンネルスキャンの結果は、最大で前記一定の時間間隔だけ、古いものとなってしまい、チャンネルスキャンの結果を用いた自動的な選局切替えの、正確さが低いという問題があった。
【０００６】
また、前記一定の時間間隔を短く設定することによって、自動的な選局切替えの正確さを向上させることも考えられるが、このような方式を採用した場合には、高品質な受信信号に基づく番組視聴を可能にするダイバーシティ受信を行う期間が短くなってしまうという問題があった。
【０００７】
さらに、上記特許文献１に記載のデジタル放送受信装置では、この装置を搭載する移動体が移動しない場合であっても定期的にチャンネルスキャンが行われ、前記一定の時間間隔を短くするほど、チャンネルスキャン実行回数に対するチャンネルスキャン結果更新回数の割合が低くなるので、自動的な選局切替えの正確さの向上に寄与しない無駄なチャンネルスキャンが多くなり、非効率的な動作となってしまう問題があった。
【０００８】
そこで、本発明は、上記従来技術の課題を解決するためになされたものであり、その目的は、効率的なチャンネルスキャンによって、ダイバーシティ受信による番組視聴期間を長くでき、且つ、自動的な選局切替えの正確さを向上させることができるデジタル放送受信装置を提供することにある。
【課題を解決するための手段】
【０００９】
本発明に係るデジタル放送受信装置は、物理チャンネルを選局し、選局された物理チャンネルの放送信号を復調する複数のチューナ・復調部と、前記複数のチューナ・復調部の動作を制御する選局制御部と、前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、現在位置を検出する現在位置検出部と、前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、前記生成された放送エリアマップを格納する放送エリアマップ格納部と、前記放送エリアマップ格納部に格納されている前記放送エリアマップと前記現在位置検出部によって検出された現在位置とから、現在受信可能な物理チャンネルの放送サービス情報を含む放送サービスリストを生成する放送サービスリスト生成部とを有し、前記放送エリアマップ生成部は、受信可能エリアを示す多角形の頂点を、前記放送エリアマップ格納部に直交座標系の座標で記録することを特徴とする。
また、本発明に係る他のデジタル放送受信装置は、物理チャンネルを選局し、選局された物理チャンネルの放送信号を復調する複数のチューナ・復調部と、前記複数のチューナ・復調部の動作を制御する選局制御部と、前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、現在位置を検出する現在位置検出部と、前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、前記生成された放送エリアマップを格納する放送エリアマップ格納部とを有し、前記放送エリアマップ生成部は、受信可能エリアを示す多角形の頂点を、前記放送エリアマップ格納部に直交座標系の座標で記録し、前記選局制御部が、前記放送エリアマップ格納部に格納されている前記放送エリアマップと前記現在位置検出部によって検出された現在位置とから、前記複数のチューナ・復調部が選局する物理チャンネルを、現在位置で受信可能な他の物理チャンネルに切り替えることを特徴とする。
【００１０】
本発明に係る他のデジタル放送受信装置は、物理チャンネルを選局し、選局された物理チャンネルの放送信号を復調する複数のチューナ・復調部と、前記複数のチューナ・復調部の動作を制御する選局制御部と、前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、現在位置を検出する現在位置検出部と、前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、前記生成された放送エリアマップを格納する放送エリアマップ格納部と、前記放送エリアマップ格納部に格納されている前記放送エリアマップと前記現在位置検出部によって検出された現在位置とから、現在受信可能な物理チャンネルの放送サービス情報を含む放送サービスリストを生成する放送サービスリスト生成部とを有し、前記放送エリアマップ生成部は、受信可能エリアを示す多角形の辺を特定する一次関数を直交座標系で表現したときの傾き、前記一次関数で示される直線が座標軸と交差する位置、及び、前記一次関数で示される直線に対し前記受信可能エリアが座標軸の正方向にあるか負方向にあるかを示す情報を、前記放送エリアマップ格納部に格納することを特徴とする。
また、本発明に係るさらに他のデジタル放送受信装置は、物理チャンネルを選局し、選局された物理チャンネルの放送信号を復調する複数のチューナ・復調部と、前記複数のチューナ・復調部の動作を制御する選局制御部と、前記複数のチューナ・復調部の動作モードを、前記複数のチューナ・復調部が協働してダイバーシティ処理を行う第１の動作モード、又は、前記複数のチューナ・復調部が各々独立して動作する第２の動作モードに切り替える受信モード切替部と、現在位置を検出する現在位置検出部と、前記受信モード切替部が、前記複数のチューナ・復調部の動作モードを前記第２の動作モードに切り替え、前記複数のチューナ・復調部の内の一方のチューナ・復調部が番組視聴用の選局を行い、前記複数のチューナ・復調部の内の他方のチューナ・復調部が物理チャンネルを順次選局するチャンネルスキャン時に、前記他方のチューナ・復調部が受信可能な物理チャンネルを検出するチャンネルスキャン制御部と、前記チャンネルスキャンが実行されたときの前記受信可能な物理チャンネル、該物理チャンネルの放送内容に関する放送サービス情報、及び現在位置を含む放送エリアマップを生成する放送エリアマップ生成部と、前記生成された放送エリアマップを格納する放送エリアマップ格納部とを有し、前記放送エリアマップ生成部は、受信可能エリアを示す多角形の辺を特定する一次関数を直交座標系で表現したときの傾き、前記一次関数で示される直線が座標軸と交差する位置、及び、前記一次関数で示される直線に対し前記受信可能エリアが座標軸の正方向にあるか負方向にあるかを示す情報を、前記放送エリアマップ格納部に格納し、前記選局制御部が、前記放送エリアマップ格納部に格納されている前記放送エリアマップと前記現在位置検出部によって検出された現在位置とから、前記複数のチューナ・復調部が選局する物理チャンネルを、現在位置で受信可能な他の物理チャンネルに切り替えることを特徴とする。
【００１１】
また、前記放送エリアマップ生成部は、受信可能エリア内に存在する受信不可能エリアを示す多角形の頂点を、前記放送エリアマップ格納部に直交座標系の座標で記録するようにしてもよい。
【００１２】
また、前記放送エリアマップ生成部は、前記受信可能エリア内の受信不可能エリアを示す多角形の辺を特定する他の一次関数を直交座標系で表現したときの傾き、前記他の一次関数で示される直線が座標軸と交差する位置、及び、前記他の一次関数で示される直線に対し前記受信不可能エリアが座標軸の正方向にあるか負方向にあるかを示す情報を、前記放送エリアマップ格納部に格納するようにしてもよい。
【００１３】
また、前記デジタル放送受信装置は、放送エリアマップ生成部は、多角形の各辺の一次不等式で受信可能エリアが表わされている場合において、現在位置を新規に受信可能地点として追加する場合に、現在位置と多角形の各頂点を結ぶ各一次関数を求め、これら一次関数が示す直線と受信可能エリアの頂点との位置関係を判断し、受信可能エリアのすべての頂点が一次関数が示す直線の同じ側に存在する一次関数を検索し、該一次関数を受信可能エリアを構成する新規辺としてエリアマップを更新するようにしてもよい。
【００１４】
また、前記デジタル放送受信装置は、各辺が一次関数で表され、各辺の一次不等式で表された前記多角形近似された放送エリアに対して、前記放送サービスリスト生成部が、前記一次不等式に現在座標値を代入し、放送エリアを構成する全前記一次不等式が満たされた場合に、現在位置がその放送エリア内であると判断することにより、現在地点で受信可能な放送サービスリストを表示するようにしてもよい。
【００１５】
さらに、前記他のデジタル放送受信装置は、各辺が一次関数で表され、各辺の一次不等式で表された前記多角形近似された放送エリアに対して、前記選局制御部が、前記一次不等式に現在座標値を代入し、放送エリアを構成する全前記一次不等式が満たされた場合に、現在位置がその放送エリア内であると判断することにより、現在地点で受信可能な他の物理チャンネルに切り替えるようにしてもよい。
【００１６】
また、前記他のデジタル放送受信装置は、各辺が一次関数で表され、各辺の一次不等式で表された多角形近似された放送エリアマップ生成済みエリアに対して、前記放送エリアマップ未生成エリア判定部が、前記一次不等式に現在座標値を代入し、放送エリアを構成する全前記一次不等式が満たされた場合に、現在位置がその放送エリア内であると判断することにより、現在地点で受信可能な他の物理チャンネルに切り替えるようにしてもよい。
【発明の効果】
【００１７】
本発明によれば、チャンネルスキャンの頻度を低下させて、ダイバーシティ受信による番組視聴の期間を増やし、高品質な受信信号に基づく番組視聴の期間を長くすることができるという効果がある。また、本発明によれば、ダイバーシティ受信による番組視聴の期間を増加させているにもかかわらず、自動的な選局切替えの正確さを向上させることができるという効果がある。
【図面の簡単な説明】
【００１８】
【図１】本発明の実施の形態１乃至３に係るデジタル放送受信装置の構成を概略的に示すブロック図である。
【図２】実施の形態１に係るデジタル放送受信装置の放送エリアマップ格納部に保持される放送エリアマップ生成済みエリア情報の一例を表形式で示す図である。
【図３】実施の形態１に係るデジタル放送受信装置の放送サービスリスト生成部による放送サービスリスト生成処理を示すフローチャートである。
【図４】実施の形態１に係るデジタル放送受信装置が保持する放送エリアマップの一例を示す図である。
【図５】実施の形態１に係るデジタル放送受信装置が保持する放送エリアマップの構造を表形式で示す図である。
【図６】実施の形態１に係るデジタル放送受信装置による放送エリアマップ未生成エリア判定処理を示すフローチャートである。
【図７】実施の形態１乃至３に係るデジタル放送受信装置によるチャンネルスキャン時の動作を示すフローチャートである。
【図８】図７に示される確実チャンネルスキャン時の動作（サブルーチン）を示すフローチャートである。
【図９】図７に示される高速チャンネルスキャン時の動作（サブルーチン）を示すフローチャートである。
【図１０】実施の形態２に係るデジタル放送受信装置が保持する放送エリアマップの一例を示す図である。
【図１１】実施の形態２に係るデジタル放送受信装置が保持する放送エリアマップの構造を表形式で示す図である。
【図１２】実施の形態３に係るデジタル放送受信装置が保持する放送エリアマップの一例を示す図である。
【図１３】実施の形態３に係るデジタル放送受信装置が保持する放送エリアマップの構造を表形式で示す図である。
【図１４】実施の形態３に係るデジタル放送受信装置において、現在位置を新規に受信可能地点として追加したが放送エリアマップの一例を示す図である。
【図１５】実施の形態３に係るデジタル放送受信装置における放送エリアマップ拡張処理を示すフローチャートである。
【発明を実施するための形態】
【００１９】
実施の形態１．
図１は、本発明の実施の形態１に係るデジタル放送受信装置の構成を概略的に示すブロック図である。図１に示されるように、実施の形態１に係るデジタル放送受信装置は、第１のアンテナ１１と、第１のチューナ・復調部１２と、第１のＴＳデマルチプレクス部１３と、映像・音声デコード部１４と、グラフィクス重畳部１５と、映像出力部１６と、音声出力部１７と、操作入力部１８と、選局制御部１９とを備えている。また、実施の形態１に係るデジタル放送受信装置は、第２のアンテナ２１と、第２のチューナ・復調部２２と、第２のＴＳデマルチプレクス部２３と、受信モード切替部２４と、チャンネルスキャン制御部２５と、現在位置検出用のアンテナ（例えば、ＧＰＳアンテナ）２６と、アンテナ２６からの信号から現在位置を検出する現在位置検出部２７と、放送エリアマップ生成部２８と、放送エリアマップ格納部２９と、放送エリアマップ未生成エリア判定部３０と、放送サービスリスト生成部３１とを備えている。
【００２０】
第１のアンテナ１１及び第１のチューナ・復調部１２は、１系統の放送受信手段を構成している。また、第２のアンテナ２１及び第２のチューナ・復調部２２は、他の１系統の放送受信手段を構成している。第１のアンテナ１１及び第１のチューナ・復調部１２が構成する系統と、第２のアンテナ２１及び第２のチューナ・復調部２２が構成する系統とは、互いに独立して動作することができる。
【００２１】
受信モード切替部２４は、各系統（第１のチューナ・復調部１２及び第２のチューナ・復調部２２の各々）からＴＳが出力されるダブルチューナモード（第２の動作モード）と、２系統のアンテナ受信信号をダイバーシティ処理することにより受信安定性の高い１つのＴＳを第１のチューナ・復調部１２から出力するシングルチューナモード（第１の動作モード）の動作を切り替える。この切り替えは、チャンネルスキャン制御部２５から受信モード切替部２４に切替制御信号によって切替えが指示されたときに実施される。なお、第１のチューナ・復調部１２、第２のチューナ・復調部２２、及び受信モード切替部２４は、１つの放送信号受信部４０内に構成してもよい。
【００２２】
シングルチューナモードでは、第２のＴＳデマルチプレクス部２３は使用されず、第２のチューナ・復調部２２からの出力が受信モード切替部２４を経由し第１のチューナ・復調部１２に入力される。第１のチューナ・復調部１２は、アンテナ１１からの放送信号と、アンテナ１２から第２のチューナ・復調部２２及び受信モード切替部２４を経由して入力される放送信号とに対して、ダイバーシティ処理を実施して、安定性の高い１つのＴＳを生成し、生成されたＴＳを第１のＴＳデマルチプレクス部１３を経由して映像・音声デコード部１４に出力する。音声出力部１７は、映像・音声デコード部１４から出力される音声信号に基づく音をスピーカ（図示せず）から出力、又は、音声信号を出力端子（図示せず）から出力する。グラフィックス重畳部１５は、映像・音声デコード部１４から出力される映像信号に基づく映像とグラフィックスデータとを重畳する。映像出力部１６は、グラフィックス重畳部１５から出力される映像信号に基づく映像を表示部（図示せず）で表示、又は、映像信号を出力端子（図示せず）から出力する。
【００２３】
ダブルチューナモードでは、第１のチューナ・復調部１２が番組視聴用の選局を行っているときに、チャンネルスキャン制御部２５は、第２のチューナ・復調部２２が物理チャンネル（特定の周波数帯域幅を１つの単位として定義したチャンネル）を順次選局するチャンネルスキャン時に、受信可能な物理チャンネルを検出する。第２のチューナ・復調部２２によるチャンネルスキャンは、第１のチューナ・復調部１２による番組視聴用の選局と並行して、視聴者が気付かない状態で実行される（番組視聴の裏側で実行される）ので、「裏チャンネルスキャン」とも言う。放送エリアマップ生成部２８は、チャンネルスキャンが実行されたときの受信可能な物理チャンネル、該物理チャンネルの放送内容に関する放送サービス情報、及び現在位置を含む放送エリアマップを生成し、生成された放送エリアマップを放送エリアマップ格納部２９に格納する。具体的に説明すると、放送エリアマップ生成部２８は、チャンネルスキャンで取得された放送サービス情報と、現在位置検出部２７からの位置情報とを元に、受信可能な物理チャンネル、該物理チャンネルの放送内容に関する放送サービス情報、及び現在位置を含む放送エリアマップを生成し、生成された放送エリアマップを、選局及び／又は放送サービスリスト表示のためのデータベースとして、放送エリアマップ格納部２９に格納する。例えば、第１のアンテナ１１で受信された放送信号は、第１のチューナ・復調部１２、第１のＴＳデマルチプレクス部１３、及び映像・音声デコード部１４を経由して、映像信号及び音声信号に変換されて出力される。一方、第２のアンテナ２１で受信された放送信号は、チャンネルスキャン制御部２５からの指示により第２のチューナ・復調部２２と第２のデマルチプレクス部２３を使用して、チャンネルスキャンが行われ、そのときの地点（現在位置）で受信可能な放送サービスリストが放送エリアマップ生成部２８で生成される。
【００２４】
図２は、実施の形態１に係るデジタル放送受信装置の放送エリアマップ格納部２９に保持される放送エリアマップ生成済みエリア情報の一例を表形式で示す図である。放送エリアマップ生成部２８は、チャンネルスキャン制御部２５によるチャンネルスキャンが終了すると、受信可能な物理チャンネルによって提供される放送サービスの有無にかかわらず、図２に示されるような放送エリアマップ生成済みエリア情報を作成し、更新する。放送エリアマップ生成済みエリアは、例えば、多角形の内側のエリア（多角形エリア）として表すことができる。図２には、多角形エリアの名称（生成済みエリア名）と、経度（Ｘ座標位置）をＸ座標軸とし緯度（Ｙ座標位置）をＹ座標軸とする直交座標系を用いて表現された多角形エリアの各頂点座標と、更新日とを、放送エリアマップとして記録する場合を示している。また、この多角形エリアは、１つの多角形ではなく複数の多角形で表現される場合もある。この場合には、図２に示される作成済みエリア名Ａ，Ｂ，…のように、放送エリアマップ格納部２９には、複数の多角形の頂点が記録される。頂点座標は、例えば、時計回り順に記録され、例えば、頂点座標（ｘａ０，ｙａ０）、（ｘａ１，ｙａ１）、…、（ｘａｍ，ｙａｍ）のように記録される。ここで、ｍは正の整数である。
【００２５】
放送エリアマップ格納部２９は、デジタル放送受信装置を搭載した移動体の移動に伴い放送エリアマップ生成部２８が生成した各放送サービスの受信可能エリア情報を、放送エリアマップとして格納する。放送エリアマップの第１の用途は、チャンネルスキャンのためのユーザ操作を行わなくても、現在位置で受信可能な放送サービス一覧表（放送サービスリスト）をユーザに提示（表示）できるようにすることである。
【００２６】
図３は、実施の形態１に係るデジタル放送受信装置の放送サービスリスト生成部３１による放送サービスリスト生成処理を示すフローチャートである。放送サービスリスト生成部３１は、放送エリアマップ格納部２９に格納されている放送エリアマップと現在位置検出部２７によって検出された現在位置とから、現在受信可能な物理チャンネルが提供する放送サービスを含む放送サービスリストを生成する。具体的に言えば、図３に示されるように、放送サービスリスト生成部３１は、放送サービスリスト生成処理を開始すると（ステップＳ１１）、現在位置検出部２７からの現在位置情報を元に放送エリアマップ格納部２９を検索し（ステップＳ１２）、現在位置で受信可能な放送サービスを示す放送サービスリストを生成し（ステップＳ１３）、グラフィックス重畳部１５経由で放送サービスリストを含む映像信号を映像出力部１６に出力し、映像出力部１６で放送サービスリストを表示させる。ユーザは、表示された放送サービスリストを参照し、操作入力部１８で視聴したい放送サービスを選択する。操作入力部１８からの放送サービス選局要求が選局制御部１９に入力されると、選局制御部１９は、放送エリアマップ格納部２９を参照し、選局すべき物理チャンネルを把握し、第１のチューナ・復調部１２に選局の指示を出す。これにより、第１のデマルチプレクス部１３及び映像・音声デコード部１４を経由して出力された信号に基づいて、映像出力部１６及び音声出力部１７が、映像及び音声を出力する。
【００２７】
また、放送エリアマップの第２の用途は、移動体の移動に伴い現在受信中の物理チャンネルで提供される放送サービスの受信状態が悪化したときに、それまで視聴していた同一番組を提供している物理チャンネル（他の物理チャンネル）に自動切替えするための用途である。具体的には、第１のチューナ・復調部１２から選局制御部１９に対して、受信状態を把握するために、Ｃ／Ｎ、ビットエラーレート、チューナのＰＬＬ（Ｐｈａｓｅ  Ｌｏｃｋｅｄ  Ｌｏｏｐ）ロック情報やＯＦＤＭ（直交周波数分割多重）フレームのロック情報が通知される。さらに、第１のＴＳデマルチプレクス部１３からは、セクションデータ（例えば、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）情報など）の途絶の通知及び映像・音声デコード部１４からのデコードエラーレートの情報などが選局制御部１９に通知される。選局制御部１９は、放送信号の受信状態が悪化したと判断すると、例えば、現在位置で同一番組を放送している可能性の高い、中継局又は系列局や、異なる物理チャンネルで放送されている同一放送サービス名のものを放送エリアマップ格納部２９から検索し、受信可能な同一番組を放送している放送サービスがあれば自動選局切替えを行うため、第１のチューナ・復調部１２に通知する。
【００２８】
図４は、実施の形態１に係るデジタル放送受信装置が保持する放送エリアマップの一例を示す図である。図４には、放送局Ａがトランスポートストリーム名（ＴＳ名）又はアンサンブル名「○○○○」として放送信号を送信している放送サービスの受信可能エリア（斜線エリア）５０の例が示されている。また、図５は、実施の形態１に係るデジタル放送受信装置が保持する放送エリアマップの構造を表形式で示す図である。図５には、各放送局の受信可能エリアを示す放送エリアマップが示されている。ここで、ＴＳ名が使われる場合は、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）やＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）、ＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、ＤＴＭＢ（Ｄｉｇｉｔａｌ  Ｔｅｒｒｅｓｔｒｉａｌ  Ｍｕｌｔｉｍｅｄｉａ  Ｂｒｏａｄｃａｓｔ）、ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）の各デジタル放送規格の場合である。また、アンサンブル名が使用される場合は、ＤＡＢ（Ｄｉｇｉｔａｌ  Ａｕｄｉｏ  Ｂｒｏａｄｃａｓｔ）、ＤＡＢ＋（Ｄｉｇｉｔａｌ  Ａｕｄｉｏ  Ｂｒｏａｄｃａｓｔ  ｐｌｕｓ）、ＤＭＢ（Ｄｉｇｉｔａｌ  Ｍｕｌｔｉｍｅｄｉａ  Ｂｒｏａｄｃａｓｔｉｎｇ）の各デジタル放送規格の場合である。いずれの場合も、１つの物理チャンネルで、１つのＴＳ又は１つのアンサンブルが送信されており、送信情報の中に放送サービスが複数存在する構成となっている。ユーザは、物理チャンネルを選択する操作を行うことによって放送サービスを選択し、番組の視聴を行う。したがって、図５の例では、各物理チャンネル中の放送サービス名は１つしか記載していないが、通常は複数の放送サービス名が存在することになる。
【００２９】
図４及び図５においては、受信可能エリアの形状を多角形と定めており、放送局Ａに対する受信可能エリアは、図４に符号５０で示すように、時計回り順で示される頂点Ｐｏｉｎｔ１０（ｘ１０，ｙ１０）、Ｐｏｉｎｔ１１（ｘ１１，ｙ１１）、Ｐｏｉｎｔ１２（ｘ１２，ｙ１２）、…、Ｐｏｉｎｔ１ｍ（ｘ１ｍ，ｙ１ｍ）で特定される多角形の内側のエリアである。これに対応して、図５に示される放送エリアマップ格納部２９の放送局Ａの放送エリアマップ情報５１には、受信可能エリア５０の各頂点の座標が、時計回り順に記録されている。頂点の座標（ｘ１０，ｙ１０）、（ｘ１１，ｙ１１）、…、（ｘ１ｍ，ｙ１ｍ）は、経度をＸ座標軸、緯度をＹ座標軸とした直交座標系で示されている。また、図５の右側に記載しているように、チャンネルスキャンにより受信したセクションデータ（例えば、ＰＳＩ／ＳＩ情報など）から中継局の物理チャンネル（中継局ＣＨ）や系列局の物理チャンネル（系列局ＣＨ）を記録しておくことで、放送信号の受信状態が悪化したときに、図５のテーブルの参照により同一番組を放送している可能性の高い代替物理チャンネルの把握ができ、短時間での自動切替えが実現できる。また、放送サービス名が同一の物理チャンネルは、同一の番組を放送している可能性が高いので、放送エリアマップ格納部２９には、放送サービス名をも記録することが望ましい。
【００３０】
図６は、実施の形態１に係るデジタル放送受信装置による放送エリアマップ未生成エリア判定処理を示すフローチャートである。放送エリアマップ未生成エリア判定処理を開始すると（ステップＳ２１）、放送エリアマップ未生成エリア判定部３０は、現在位置検出部２７からの現在位置情報を受信し、放送エリアマップ格納部２９内の放送エリアマップ生成済みエリア情報（例えば、図２）を参照し、現在位置に対応する放送エリアマップが生成済みかどうかを検索する（ステップＳ２２）。放送エリアマップ未生成エリア判定部３０は、現在位置が放送エリアマップ生成済みエリアに含まれているか否かを判定し（ステップＳ２３）、放送エリアマップ未生成エリア内であると判定すれば、チャンネルスキャン制御部２５に放送エリアマップ未生成エリア内に入ったことを通知する（ステップＳ２４）。この通知を受信したチャンネルスキャン制御部２５は、ダブルチューナモードで動作するよう受信モード切替部２４に通知し、第１のチューナ・復調部１２による視聴のための動作と並行して、第２のチューナ・復調部１２によるチャンネルスキャンを開始する。一方、放送エリアマップ未生成エリア判定部３０は、現在位置が放送エリアマップ生成済みエリア内に入ったと判定した場合には、チャンネルスキャン制御部２５に放送エリアマップ生成済みエリア内に入ったことを通知し（ステップＳ２５）、チャンネルスキャンを停止し、シングルチューナモードの動作が開始される。シングルチューナモードでは、番組の映像表示及び音声出力は、受信安定性に優れたダイバーシティ処理を施した放送信号に基づいて行われる。
【００３１】
放送エリアマップ未生成エリア判定部３０が、現在位置が放送エリアマップ生成済みエリア内であると判定した場合には、デジタル放送受信装置は、基本的には、シングルチューナモードで動作するが、異なる動作を実行させることもできる。チャンネルスキャン制御部２５は、第１のデマルチプレクス部１３から番組視聴中にセクションデータ（例えば、ＰＳＩ／ＳＩ情報など）を取得し、セクションデータからネットワーク構成情報や放送サービス構成情報を取得する。これら情報からネットワーク構成や放送サービス構成の変化を検出した場合、例えば、放送サービスの消失や送信物理チャンネルの変更があった場合、ネットワーク識別値や放送サービス識別値の変更があった場合、ネットワーク名やＴＳ名、アンサンブル名、放送サービス名が変化した場合など、構成情報の変化を検出した場合には、他の物理チャンネルにも放送サービス構成が変化した可能性があるので、チャンネルスキャン制御部２５は、放送エリアマップを最新の情報で更新するために、受信モード切替部２４にダブルチューナモードで動作するよう通知を行う。そして、放送信号の視聴のための動作を行う第１のチューナ・復調部１２とは別系統である第２のチューナ・復調部２２によって、チャンネルスキャンを開始し、このチャンネルスキャンの結果に基づいて、放送エリアマップ格納部２９に格納される放送エリアマップを更新する。
【００３２】
さらに、放送エリアマップ未生成エリア判定部３０が、現在位置が放送エリアマップ生成済みエリア内であると判定した場合に、チャンネルスキャン制御部２５は、所定時間経過後、番組視聴用の受信を行っている第１のチューナ・復調部１２とは別系統である第２のチューナ・復調部２２によって、定期的にチャンネルスキャンを行わせるために、受信モード切替部２４にダブルチューナモードで動作するよう通知を行い、チャンネルスキャンを開始し、放送エリアマップに更新が無いか監視させてもよい。放送ネットワークや放送サービス構成は、基本的には、頻繁に変化するものではなく、実施の形態１における構成では、各放送サービスに対して受信可能なエリアを示す放送エリアマップを生成し格納しているので、この定期的な監視を、頻繁に行う必要は無く、数日に１回程度の比較的長い周期で行えばよい。
【００３３】
図７は、実施の形態１に係るデジタル放送受信装置によるチャンネルスキャン時の動作を示すフローチャートであり、図８は、図７に示される確実チャンネルスキャン時の動作（サブルーチン）を示すフローチャートであり、図９は、図７に示される高速チャンネルスキャン時の動作（サブルーチン）を示すフローチャートである。確実チャンネルスキャンとは、全物理チャンネルに対してチャンネルスキャンを行うことを意味する。高速チャンネルスキャンとは、全物理チャンネルの内の一部の物理チャンネルだけをチャンネルスキャンすることを意味する。確実チャンネルスキャンによれば、信頼性の高いチャンネルスキャンの結果を得ることができるが、チャンネルスキャン時間が長くなる。高速チャンネルスキャンによれば、チャンネルスキャン時間を短時間で完了できるが、チャンネルスキャンの結果の信頼性は低い。
【００３４】
図７に示されるように、チャンネルスキャン制御部２５がチャンネルスキャンを開始する条件になったと判断した場合、チャンネルスキャンが開始される（ステップＳ３０）。チャンネルスキャンが開始すると、まず、チャンネルスキャン制御部２５は、ダブルチューナモードへの変更指示を受信モード切替部２４に通知し（ステップＳ３１）、確実チャンネルスキャンを２回実行する（ステップＳ３２、Ｓ３３）。
【００３５】
図８に示されるように、確実チャンネルスキャンの動作が開始すると（ステップＳ３２０）、チャンネルスキャン制御部２５は、全物理チャンネルの中から１つを選択し（ステップＳ３２１）、第２のチューナ・復調部２２にチューニングを実行させる（ステップＳ３２２）。そして、チャンネルスキャン制御部２５は、チューニングした物理チャンネルに放送信号が存在するかを、例えば、受信信号の電力レベルから判断する（ステップＳ３２３）。チャンネルスキャン制御部２５は、チューニングした物理チャンネルに放送信号が存在しないと判断したときには、全候補（チャンネルスキャン対象のすべての物理チャンネル）のチャンネルスキャンが完了したかを判断し（ステップＳ３２８）、チャンネルスキャンが完了していなければ、次の物理チャンネルを決定し（ステップＳ３２１）、第２のチューナ・復調部２２にチューニングを実行させる（ステップＳ３２２）。チャンネルスキャン制御部２５は、ステップＳ３２３で、チューニングした物理チャンネルに何らかの放送信号が存在すると判断した場合、さらに、フレームロック判定を行う（ステップＳ３２４）。チャンネルスキャン制御部２５は、フレームロック判定において、例えば、ＩＳＤＢ−Ｔの場合、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号の中のＣＲＣ（巡回冗長検査）エラーチェックや周期的な同期ワードのチェックを行うことで、受信すべき所望のデジタル放送波であるかどうかを判定する。チャンネルスキャン制御部２５は、フレームロックしなかった場合は、全候補の物理チャンネルのチャンネルスキャンが完了したかを判断し（ステップＳ３２８）、全候補の物理チャンネルのチャンネルスキャンが完了していなければ、次の物理チャンネルを決定し（ステップＳ３２１）、第２のチューナ・復調部２２にチューニングを実行させる（ステップＳ３２２）。チャンネルスキャン制御部２５は、フレームロックした場合は、さらに、ＰＳＩ／ＳＩセクションフィルタリング処理を開始し（ステップＳ３２５）、ＰＳＩ／ＳＩ情報を取得する。チャンネルスキャン制御部２５は、所定の時間内にＰＳＩ／ＳＩ情報を取得できなかった場合、全候補の物理チャンネルのチャンネルスキャンが完了したかを判断し（ステップＳ３２８）、チャンネルスキャンが完了していなければ次の物理チャンネルを決定し（ステップＳ３２１）、第２のチューナ・復調部２２にチューニングを実行させる（ステップＳ３２２）。チャンネルスキャン制御部２５は、ＰＳＩ／ＳＩ情報が受信できた場合、受信したＰＳＩ／ＳＩ情報から放送サービス情報を取り出し、物理チャンネル、受信信号の電力レベル、現在位置を受信情報として受信情報一時保存エリア２５ａに保存する（ステップＳ３２７）。チャンネルスキャン制御部２５は、全候補のスキャンが完了したかを判断し（ステップＳ３２８）、全候補の物理チャンネルのチャンネルスキャンが完了するまで物理チャンネルの決定（ステップＳ３２１）、第２のチューナ・復調部２２にチューニングを実行させ、放送信号の有無の判定動作を繰り返す。チャンネルスキャン制御部２５による全候補の物理チャンネルの��ャンネルスキャンが完了すると（ステップＳ３２８）、処理は、確実チャンネルスキャンサブルーチンを抜け、図７のフローチャートのステップＳ３３、Ｓ３４に戻る。
【００３６】
図７における２回の確実チャンネルスキャン（ステップＳ３２，Ｓ３３）が実行された後に、チャンネルスキャン制御部２５は、１回目と２回目のチャンネルスキャンで所定の基準レベル以上に受信状態が変化した物理チャンネルを、次回のチャンネルスキャンの候補の物理チャンネルとして抽出する（ステップＳ３４の（１））。また、チャンネルスキャン制御部２５は、ステップＳ３４の（１）の場合以外であっても、受信不可レベル近傍の物理チャンネル（具体的には、受信不可能と判定する所定の閾値電力レベルを中心に、電力レベルがプラス方向、マイナス方向の一定範囲内である物理チャンネル）についても次回のチャンネルスキャンの候補の物理チャンネルとする（ステップＳ３４の（２））。チャンネルスキャン制御部２５は、引き続きこのチャンネルスキャンの候補の物理チャンネルに対してのみ高速チャンネルスキャンを実施する（ステップＳ３５）。チャンネルスキャン制御部２５は、ステップＳ３４の（１）及び（２）を満たす物理チャンネル以外の物理チャンネルについては、受信状態に変化が無いと判断し、高速チャンネルスキャンの対象から外す。
【００３７】
図９に示されるように、高速チャンネルスキャン時には、チャンネルスキャン制御部２５は、全物理チャンネルの中から１つを選択し（ステップＳ３５１）、第２のチューナ・復調部２２にチューニングを実行させる（ステップＳ３５２）。そして、チャンネルスキャン制御部２５は、チューニングした物理チャンネルに放送信号が存在するかを、例えば、受信信号の電力レベルで判断する（ステップＳ３５３）。チャンネルスキャン制御部２５は、チューニングした物理チャンネルに放送信号が存在しなければ、受信情報一時保存エリア２５ａを参照し、前回同一物理チャンネルに放送サービスが存在したか否かを判断し（ステップＳ３６１）、該当する放送サービスがなければ全候補の物理チャンネルのチャンネルスキャンが完了したかを判断し（ステップＳ３６０）、チャンネルスキャンが完了していなければ次の物理チャンネルを決定し（ステップＳ３５１）、第２のチューナ・復調部２２にチューニングを実行させる（ステップＳ３５２）。ステップＳ３６１で、前回同一物理チャンネルに該当する放送サービスが存在していた場合には、チャンネルスキャン制御部２５は、受信情報一時格納エリア２５ａから該当物理チャンネルを削除する（ステップＳ３６２）。この場合、該当物理チャンネルの信号が受信不可能に変化したことになるので、さらに、受信不安定チャンネルとして削除された物理チャンネルを、次回のチャンネルスキャンの候補の物理チャンネル（再チェックの候補の物理チャンネル）とする（ステップＳ３５９）。そして、全候補の物理チャンネルのチャンネルスキャンが完了したか否かを判定し（ステップＳ３６０）、他の候補の物理チャンネルが残っている場合は、次の物理チャンネルのチューニングを行う。
【００３８】
チャンネルスキャン制御部２５は、ステップＳ３５３で、チューニングした物理チャンネルに何らかの放送信号が存在すると判断した場合、受信情報一時保存エリア２５ａを参照し、前回の同一物理チャンネルのチャンネルスキャン時に、同一物理チャンネルに放送サービスが存在していたか判断し（ステップＳ３５４）、存在していた場合は、受信状態に変化が無いと判断し、第２のチューナ・復調部２２に次の物理チャンネルのチューニングを実行させる。チャンネルスキャン制御部２５は、前回、同一物理チャンネルに放送サービスが存在していたか判断し（ステップＳ３５４）、存在していなかった場合は、新たに信号が検出できたことになるので、フレームロック判定を行う（ステップＳ３５５）。フレームロックしなかった場合は、チャンネルスキャン制御部２５は、全候補の物理チャンネルのチャンネルスキャンが完了していなければ（ステップＳ３６０）、第２のチューナ・復調部２２に次の物理チャンネルのチューニングを実行させる（ステップＳ３５１、Ｓ３５２）。ステップＳ３５５でフレームロックした場合は、チャンネルスキャン制御部２５は、ＰＳＩ／ＳＩセクションフィルタリング処理を開始し（ステップＳ３５６）、ＰＳＩ／ＳＩ情報を取得する（ステップＳ３５７）。チャンネルスキャン制御部２５は、所定の時間内にＰＳＩ／ＳＩ情報を取得できなかった場合には、全候補の物理チャンネルのチャンネルスキャンが完了していなければ（ステップＳ３６０）、第２のチューナ・復調部２２に次の物理チャンネルのチューニングを実行させる（ステップＳ３５１、Ｓ３５２）。ステップＳ３５７でＰＳＩ／ＳＩ情報が受信できた場合、チャンネルスキャン制御部２５は、受信したＰＳＩ／ＳＩ情報から放送サービス情報を取り出し、物理チャンネル、受信信号の電力レベル、現在位置を受信情報として保存する（ステップＳ３５８）。この場合、前回放送サービスが存在しなかったが今回新たに検出できたことになるので、チャンネルスキャン制御部２５は、受信不安定チャンネルを次回チャンネルスキャンの候補とし、再確認の候補の物理チャンネルとする（ステップＳ３５９）。チャンネルスキャン制御部２５は、チャンネルスキャンが完了していなければ（ステップＳ３６０）、第２のチューナ・復調部２２に次の物理チャンネルのチューニングを実行させる（ステップＳ３５１、Ｓ３５２）。チャンネルスキャン制御部２５は、全候補の物理チャンネルのチャンネルスキャンが完了すると（ステップＳ３６０）、処理を高速チャンネルスキャンのサブルーチンから図７のステップＳ３６に戻す。
【００３９】
図９のステップＳ３５９で決定した次回チャンネルスキャンの候補の物理チャンネルが存在している場合には、チャンネルスキャン制御部２５は、図７のフローチャートにおける高速チャンネルスキャンのサブルーチン処理（ステップＳ３５）が終了後、再度高速チャンネルスキャンを実施する（ステップＳ３５）。次回チャンネルスキャンの候補の物理チャンネルが存在しない場合、チャンネルスキャン制御部２５は、放送エリアマップ生成部２８に通知し、放送エリアマップ生成部２８は、チャンネルスキャンで生成された受信情報一時保存エリア２５ａ内の情報から、放送エリアマップを生成し、放送エリアマップ格納部２９の放送エリアマップを更新する（ステップＳ３７）。さらに、チャンネルスキャン制御部２５は、受信モード切替部２４にシングルチューナモードで動作するよう通知し（ステップＳ３８）、チャンネルスキャンを終了する。
【００４０】
以上に説明したように、実施の形態１に係るデジタル放送受信装置によれば、チャンネルスキャンを行うタイミングを、放送エリアマップ未生成エリア内を移動しているときと、放送エリアマップ生成済みエリア内の移動時であるがネットワーク構成や放送サービス構成の変化を視聴中の物理チャンネルから検出したときと、数日程度毎に行う比較的長周期の定期的なチャンネルスキャンのときとしたことにより、ダイバーシティ処理による安定性の高い受信信号として番組視聴を行う期間が増え、受信性能向上による高画質高音質化を図ることができる。
【００４１】
また、実施の形態１に係るデジタル放送受信装置によれば、放送エリアマップ生成済みエリア内の移動時であっても、ネットワーク構成や放送サービス構成の変化を視聴中物理チャンネルから検出した場合に、ダブルチューナモードでチャンネルスキャンを開始するので、ネットワーク構成や放送サービス構成の変化時にも放送エリアマップの更新ができ放送エリアマップを最新の情報に保つことができる。
【００４２】
さらに、実施の形態１に係るデジタル放送受信装置によれば、放送エリアマップ生成済みエリア内の移動時であっても、数日程度毎に行う比較的長周期の定期的なチャンネルスキャンを行うようにしたので、視聴中以外の放送サービスのネットワーク構成や放送サービス構成が変化した場合でも、この変化を検出し放送エリアマップの更新ができ、また、チャンネルスキャン実行周期を比較的長くすることができるので、シングルチューナモードにおけるダイバーシティ受信の期間を長くすることができる。
【００４３】
さらにまた、実施の形態１に係るデジタル放送受信装置によれば、チャンネルスキャンにより各放送サービスの放送エリアマップを自動生成するので、放送エリアマップが作成されたエリアを移動時には、その地点で受信可能な放送サービス一覧をユーザによるチャンネルスキャン操作無しでユーザに提示でき、移動体に搭載したときの利便性を高めることができる。
【００４４】
また、実施の形態１に係るデジタル放送受信装置によれば、チャンネルスキャンにより各放送サービスの放送エリアマップを自動生成し、これに中継局や系列局の物理チャンネル及び放送サービス名と共に記録しているので、放送エリアマップが作成されたエリアの移動時には、視聴中の放送サービスのエリア外に移動しつつある場合や、受信状態が不安定になってきた場合には、同一の番組を放送している可能性の高い中継局、系列局、同一放送サービス名の放送サービスを放送している物理チャンネルに自動切替えでき、番組視聴が途切れなく継続することができる。
【００４５】
さらに、実施の形態１に係るデジタル放送受信装置によれば、チャンネルスキャン制御部２５の動作において、前回と今回のチャンネルスキャンの結果をそれぞれ比較し、所定の基準レベル以上に受信状態が変化した物理チャンネルと、閾値受信電力レベル近傍の物理チャンネルに対してのみ再度チャンネルスキャンを行うようにしたので、受信可能エリア境界付近の受信状況が不安定な物理チャンネルについて受信状況のサンプリング周期を短縮していることになるので、チャンネルスキャンが比較的短時間で受信可能エリア境界付近におけるチャンネルスキャンの結果の精度を上げることができる。
【００４６】
さらにまた、前記再度のチャンネルスキャンでは、前回のチャンネルスキャンで放送サービスが存在し、且つ、今回のチャンネルスキャンでも受信信号の電力レベルから放送信号が存在していると判断した場合に、通常それに続いて実施するフレームロック判定と、ＰＳＩ／ＳＩ情報の取得判定を行わずに前回のチャンネルスキャン時と同一の放送サービスが存在すると判定するようにしたので、信号存在チェックに要する時間だけで済み、フレームロックの確認やＰＳＩ／ＳＩ情報取得の判定を省略することができる。通常、信号存在チェックは、数百ミリ秒、フレームロック判別時間は、１秒前後、ＰＳＩ／ＳＩ情報取得判定は、数秒をそれぞれ要するため、フレームロック判定、ＰＳＩ／ＳＩ取得判定を省くことでチャンネルスキャンの大幅な高速化が図れ、チャンネルスキャンが短時間で済み、全アンテナからの信号を番組視聴のために使用できる機会が増えるので受信安定性が高く、より高音質高画質の受信機を提供できる。
【００４７】
また、前記再度のチャンネルスキャンでは、前回のチャンネルスキャンで放送サービスが存在せず、且つ、今回のチャンネルスキャンでも受信信号の電力レベルから放送信号が存在しないと判断した場合に、放送サービスが存在しないと判定するようにしたので、チャンネルスキャンの高速化が図れ、チャンネルスキャンが短時間で済み、全アンテナからの信号を視聴のために使用できるので、受信安定性が高く高音質高画質の装置を提供できる。
【００４８】
さらに、前記再度のチャンネルスキャンでは、前回のチャンネルスキャンで放送サービスが存在せず、且つ、今回のチャンネルスキャンで受信信号の電力レベルから放送信号が存在していると判断し、フレームロック、ＰＳＩ／ＳＩ情報取得ができた場合でも不安定チャンネルとして次回チャンネルスキャンを行うようにしたので、不安定チャンネルのエリア境界付近におけるチャンネルスキャンの結果の精度を上げることができる。
【００４９】
さらにまた、前記再度のチャンネルスキャンでは、前回のチャンネルスキャンで放送サービスが存在し、且つ、今回のチャンネルスキャンで受信信号の電力レベルから放送信号が存在していないと判断した場合に、不安定チャンネルとして次回のチャンネルスキャンを行うようにしたので、不安定チャンネルのエリア境界付近におけるチャンネルスキャンの結果の精度を上げることができる。
【００５０】
また、実施の形態１に係るデジタル放送受信装置によれば、各物理チャンネル毎に放送サービス情報と受信可能エリアをデータベース化する際に、受信可能エリアを経度及び緯度をそれぞれ座標軸とする座標系で、多角形エリアとして表現し、多角形エリアの各頂点の座標を記録するだけで済むので、経度及び緯度で表現される座標平面をメッシュに区分けしてデータを記録する場合に比べて、必要なメモリサイズを小さくすることができる。
【００５１】
実施の形態２．
図１０は、実施の形態２に係るデジタル放送受信装置が保持する放送エリアマップの一例を示す図であり、図１１は、実施の形態２に係るデジタル放送受信装置が保持する放送エリアマップの構造を表形式で示す図である。実施の形態２においては、実施の形態１に係るデジタル放送受信装置で生成した放送エリアマップの受信可能エリア（斜線エリア）の中に受信不可能エリア（斜線エリア内の白色エリア）が追加されている点が、実施の形態１の場合と相違する。なお、実施の形態２の説明に際しては、図１をも参照する。
【００５２】
図１０には、ある放送局ＡがＴＳ名又はアンサンブル名「○○○○」として送信している放送サービスの受信可能エリア６０の例が図示され、図１１には、各放送局の受信可能エリアが表形式で示されている。図１０及び図１１は、受信可能エリア６０の中に受信不可能エリア６１が存在する場合を記載している。図１０において、受信不可能エリア６１は、時計回り順に示される頂点ＮＧＰｏｉｎｔ１０（ｘ１０ＮＧ，ｙ１０ＮＧ）、ＮＧＰｏｉｎｔ１１（ｘ１１ＮＧ，ｙ１１ＮＧ）、ＮＧＰｏｉｎｔ１２（ｘ１２ＮＧ，ｙ１２ＮＧ）を有する多角形（図１０においては、三角形）の内側のエリア（白色）として表されている。これに対応して、図１１の放送局Ａに対応する受信不可能エリアの放送エリアマップ情報への記載方法は、符号６２で示すように、受信不可能エリア及び受信可能エリアの各頂点が時計回りの順に記録されている。各頂点は、経度をＸ座標軸、緯度をＹ座標軸とした直交座標系で示されており、頂点の座標（ｘ１０ＮＧ，ｙ１０ＮＧ）、（ｘ１１ＮＧ，ｙ１１ＮＧ）、（ｘ１２ＮＧ，ｙ１２ＮＧ）が格納されている。さらに、図示していないが、実施の形態１と同様にチャンネルスキャンにより受信したセクションデータ（例えば、ＰＳＩ／ＳＩ情報など）から中継局や系列局の物理チャンネルを記録しておくことで放送信号の受信状態が悪化したときに、図１１のテーブルの参照により同一番組を放送している可能性の高い代替物理チャンネルの把握ができ、短時間での自動切替えが実現できる。また、同一放送サービス名のものは同一番組を放送している可能性が高いので、放送エリアマップには、放送サービス名を記録しておくことが望ましい。
【００５３】
以上に説明したように、実施の形態２に係るデジタル放送受信装置によれば、受信可能エリア内に受信不可能エリアが存在する放送エリアの場合も、エリアを多角形として表すことで、経度及び緯度で表現される座標平面をメッシュに区分けしてデータを記録する場合に比べて、必要なメモリサイズを小さくすることができる。
【００５４】
なお、実施の形態２において、上記以外の点は、上記実施の形態１の場合と同じである。
【００５５】
実施の形態３．
図１２は、実施の形態３に係るデジタル放送受信装置が保持する放送エリアマップの一例を示す図であり、図１３は、実施の形態３に係るデジタル放送受信装置が保持する放送エリアマップの構造を表形式で示す図である。実施の形態３に係るデジタル放送受信装置は、放送エリアマップの構造が、実施の形態１に係るデジタル放送受信装置で生成した放送エリアマップの構造と異なる。なお、実施の形態３の説明に際しては、図１をも参照する。
【００５６】
図１２には、ある放送局ＡがＴＳ名又はアンサンブル名「○○○○」として送信している放送サービスの受信可能エリア７０の例が図示されており、図１３には、各放送局の受信可能エリアを示す放送エリアマップであり、受信可能エリアの表現方法が表形式で示されている。実施の形態３に係るデジタル放送受信装置は、受信可能エリア及び受信可能エリア内の受信不可能エリアを多角形として表現する点は実施の形態１及び２の場合と同じであるが、受信不可能エリアの多角形の頂点を記録するのではなく、多角形を構成する各辺を一次関数で表現している点が、実施の形態１及び２に係るデジタル放送受信装置と異なる。例えば、受信可能エリア７０を示す多角形の辺を特定する一次関数を直交座標系で表現したときの傾き、前記一次関数で示される直線が座標軸（例えば、Ｙ軸）と交差する位置、及び、前記一次関数で示される直線に対し受信可能エリアが座標軸（例えば、Ｙ軸）の正方向にあるか負方向にあるかを示す情報を、放送エリアマップ格納部２８に格納する。また、受信可能エリア７０内の受信不可能エリア７１を示す多角形の辺を特定する他の一次関数を直交座標系で表現したときの傾き、前記他の一次関数で示される直線が座標軸（例えば、Ｙ軸）と交差する位置、及び、前記他の一次関数で示される直線に対し受信不可能エリア７１が座標軸（例えば、Ｙ軸）の正方向にあるか負方向にあるかを示す情報を、放送エリアマップ格納部１８に格納する。
【００５７】
具体的には、図１２の辺７２を、一次関数Ｙ＝ａ１０Ｘ＋ｂ１０で表し、辺７３を、一次関数Ｙ＝ａ１１Ｘ＋ｂ１１で表し、辺７４を、一次関数Ｙ＝ａ１２Ｘ＋ｂ１２で表し、辺７５を、一次関数Ｙ＝ａ１３Ｘ＋ｂ１３で表し、辺７６を、一次関数Ｙ＝ａ１４Ｘ＋ｂ１４で表している。受信可能エリア７０は、辺７２〜７６で囲われた領域内の一部の領域である。したがって、受信可能エリア７０は、辺７２の下側の領域（Ｙ＜ａ１０Ｘ＋ｂ１０の領域）、且つ、辺７３の上側の領域（Ｙ＞ａ１１Ｘ＋ｂ１１の領域）、且つ、辺７４の上側の領域（Ｙ＞ａ１２Ｘ＋ｂ１２の領域）、且つ、辺７５の下側の領域（Ｙ＜ａ１３Ｘ＋ｂ１３の領域）、且つ、辺７６の下側の領域（Ｙ＜ａ１４Ｘ＋ｂ１４の領域）である。
【００５８】
また、受信不可能エリア７１の辺９１を、一次関数Ｙ＝ａ１５Ｘ＋ｂ１５で表し、辺９２を、一次関数Ｙ＝ａ１６Ｘ＋ｂ１６で表し、辺９３を、一次関数Ｙ＝ａ１７Ｘ＋ｂ１７で表す。受信不可能エリア７１は、辺９１〜９３で囲われた領域である。したがって、受信不可能エリア７１は、辺９１の下側の領域（Ｙ＜ａ１５Ｘ＋ｂ１５の領域）、且つ、辺９２の上側の領域（Ｙ＞ａ１６Ｘ＋ｂ１６の領域）、且つ、辺９３の上側の領域（Ｙ＞ａ１７Ｘ＋ｂ１７の領域）である。
【００５９】
放送エリアマップ格納部１８内に、放送エリアマップとして記録する際の記録形式は、例えば、図１３のようになる。例えば、図１３の符号９４で示す「＜，ａ１０，ｂ１０」の左の記号「＜」の意味は、受信可能エリアを示す緯度Ｙは、ａ１０Ｘ＋ｂ１０で表される直線以下の緯度領域であることを意味する。また、「＜，ａ１０，ｂ１０」の中央の値は、辺７２の傾きがａ１０であり、切片（Ｙ軸との交差位置）がｂ１０であることを意味する。そして、時計回り順に、次の辺７３〜辺７６までを、同様に記録している。図１３の辺９６，９７に示すように、受信可能エリア中の受信不可能エリアについても同様に記録する。さらに、図２では放送エリアマップ生成済みエリア情報を多角形の各頂点座標で記録していたが、図１３に示されるように、各頂点を結ぶ辺の傾き、切片（Ｙ軸との交差位置）、及び領域を示す不等号で表記してもよい。
【００６０】
図１４は、実施の形態３に係るデジタル放送受信装置において、現在位置を新規に受信可能地点として追加した放送エリアマップの一例を示す図であり、図１５は、実施の形態３に係るデジタル放送受信装置における放送エリアマップ拡張処理を示すフローチャートである。図１４には、既存の受信可能エリア７０が記録されているときに、現在位置８０にてチャンネルスキャン実行の結果、現在位置８０が受信可能エリア内の地点であった場合を示している。この場合、辺８１、７４、８５で囲まれた領域（クロスハッチング領域）が、受信可能エリアとしての新規追加エリアとなる。図１５には、このときの放送エリアマップ生成部２８の放送エリアマップ拡張処理の動作が示されている。放送エリアマップ拡張処理が開始されると（ステップＳ４１）、放送エリアマップ生成部２８は、受信可能エリア７０の各辺を定義する一次関数（図１４の７２，７３，７４，７５，７６）に現在位置８０の座標を代入する（ステップＳ４２）。次に、放送エリアマップ生成部２８は、代入した結果、ＹとＸの大小関係を全辺に対して満たしているか判断し（ステップＳ４３）、満たしている場合には、現在位置が既存の受信可能エリア７０内であると判断し（ステップＳ４７）、放送エリアマップへの追加処理を行わない。放送エリアマップ生成部２８は、ＹとＸの大小関係を全辺に対して満たしているかを判断し、満たしていない場合に、既存の受信可能エリア７０外の新規の頂点であると判断し（ステップＳ４４）、新規の頂点と既存の受信可能エリア７０の各頂点とを結ぶ一次関数を求める（ステップＳ４５）。そして、放送エリアマップ生成部２８は、求められた一次関数が示す直線と受信可能エリア７０の頂点との位置関係を判断し、受信可能エリア７０のすべての頂点が一次関数が示す直線の同じ側（例えば、Ｙ軸の正方向又は負方向）に存在する一次関数を検索する。例えば、図１４においては、現在位置８０と他の頂点１０１〜１０５とを結ぶ一次関数が示す直線（辺）のうち直線８２は、頂点１０４は直線８２のＹ軸の正方向に存在するが、頂点１０１〜１０３はＹ軸の負方向に存在するので、受信可能エリア７０のすべての頂点が一次関数が示す直線の同じ側（例えば、Ｙ軸の正方向又は負方向）に存在する一次関数ではない。同様に、図１４においては、直線８３は、頂点１０４、１０５は直線８２のＹ軸の正方向に存在するが、頂点１０２、１０３はＹ軸の負方向に存在するので、受信可能エリア７０のすべての頂点が一次関数が示す直線の同じ側（例えば、Ｙ軸の正方向又は負方向）に存在する一次関数ではない。同様に、図１４においては、直線８４は、頂点１０４、１０５、１０１は直線８２のＹ軸の正方向に存在するが、頂点１０３はＹ軸の負方向に存在するので、受信可能エリア７０のすべての頂点が一次関数が示す直線の同じ側（例えば、Ｙ軸の正方向又は負方向）に存在する一次関数ではない。これに対し、図１４においては、直線８１は、頂点１０１〜１０３、１０５は直線８１のＹ軸の正方向に存在し、負方向に存在する頂点はないので、受信可能エリア０のすべての頂点が一次関数が示す直線の同じ側（例えば、Ｙ軸の正方向又は負方向）に存在する一次関数である。同様に、図１４においては、直線８５は、頂点１０１、１０２、１０４、１０５は直線８５のＹ軸の正方向に存在し、負方向に存在する頂点はないので、受信可能エリア７０のすべての頂点が一次関数が示す直線の同じ側（例えば、Ｙ軸の正方向又は負方向）に存在する一次関数である。このように、直線（辺）８１、８５は、受信可能エリアの拡張部分を構成する辺と判断できるので、放送エリアマップにその辺の傾き、切片（例えば、Ｙ軸との交差位置）、領域の方向を現す不等号を追記する。
【００６１】
以上に説明したように、実施の形態３に係るデジタル放送受信装置によれば、受信可能エリア７０及び受信可能エリア内の受信不可能エリア７１の記録について、それぞれ経度及び緯度をそれぞれ座標軸とする頂点で構成された多角形で表し、多角形を構成する辺を一次関数で表し、各辺の傾き、切片（Ｙ軸との交差位置）、エリアが該一次関数の上側エリアか下側エリアかを示す情報を記録するようにしたので、経度及び緯度で表現される座標平面をメッシュに区分けしてデータを記録する場合に比べて、必要なメモリサイズを小さくすることができる。
【００６２】
なお、実施の形態３において、上記以外の点は、上記実施の形態１又は２の場合と同じである。
【符号の説明】
【００６３】
１１  第１のアンテナ、  １２  第１のチューナ・復調部、  １３  第１のデマルチプレクス部、  １４  映像・音声デコード部、  １５  グラフィックス重畳部、  １６  映像出力部、  １７  音声出力部、  １８  操作入力部、  １９  選局制御部、  ２１  第２のアンテナ、  ２２  第２のチューナ・復調部、  ２３  第２のデマルチプレクス部、  ２４  受信モード切替部、  ２５  チャンネルスキャン制御部、  ２５ａ  一時保存エリア、  ２６  アンテナ、  ２７  現在位置検出部、  ２８  放送エリアマップ生成部、  ２９  放送エリアマップ格納部、  ３０  放送エリアマップ未生成エリア判定部、  ３１  放送サービスリスト生成部、  ４０  放送信号受信部、  ５０，６０，７０  受信可能エリア、  ５１，６２  放送エリアマップを示す表、  ６１，７１  受信不可能エリア、  ７２〜７６  受信可能エリアの境界（辺）、  ８０  放送局Ａが受信可能である現在位置、  ８１，８５  新たに拡張された放送局Ａの受信可能エリアの境界（辺）、  ８２〜８４  現在位置と他の頂点を結ぶ一次関数、  ９１〜９３  受信不可能エリアの境界（辺）、  ９４  受信可能エリアの境界（辺）の傾き、切片（Ｙ軸との交差位置）、及び受信可能エリアがこの辺の上か下かを示す不等号、  ９５  受信可能エリアの境界（辺）の傾き、切片（Ｙ軸との交差位置）、及び受信可能エリアがこの辺の上か下かを示す不等号、  ９６  受信不可能エリアの境界（辺）の傾き、切片（Ｙ軸との交差位置）、及び受信可能エリアがこの辺の上か下かを示す不等号、  ９７  受信可能エリアの境界（辺）の傾き、切片（Ｙ軸との交差位置）、及び受信可能エリアがこの辺の上か下かを示す不等号、  １０１〜１０５  受信可能エリアの頂点。
【図１】
2011061753.tif 000003
【図２】
2011061753.tif 000004
【図３】
2011061753.tif 000005
【図４】
2011061753.tif 000006
【図５】
2011061753.tif 000007
【図６】
2011061753.tif 000008
【図７】
2011061753.tif 000009
【図８】
2011061753.tif 000010
【図９】
2011061753.tif 000011
【図１０】
2011061753.tif 000012
【図１１】
2011061753.tif 000013
【図１２】
2011061753.tif 000014
【図１３】
2011061753.tif 000015
【図１４】
2011061753.tif 000016
【図１５】
2011061753.tif 000017